【手続補正書】
【提出日】平成18年3月13日(2006.3.13)
【手続補正１】
【補正対象書類名】明細書
【補正対象項目名】全文
【補正方法】変更
【補正の内容】
【書類名】  明細書
【発明の名称】発熱体付浮遊体
【特許請求の範囲】
【請求項１】
樹脂に湯温付近の温度で遠赤外線を放射する粉体状の遠赤外線放射物質を混入させ、該混入させた樹脂を中空状又はポーラス状に形成して水に浮く構造の浮遊体としたことを特徴とする発熱体付浮遊体。
【請求項２】
樹脂を中空状又はポーラス状に水に浮く浮遊体に形成し、該中空状又はポーラス状の樹脂に湯温付近の温度で温められ遠赤外線を放射する遠赤外線放射物質の砕片や固まりを封入又は取り付け、又は、これらを含有した材料を前記樹脂にコーテイングしたことを特徴とする発熱体付浮遊体。
【請求項３】
前記浮遊体を扁平球形に形成すると共に、最大外周部から両方向に丸味を有したテーパー状の急角度の傾斜面を付けたことを特徴とする請求項１又は請求項２に記載の発熱体付浮遊体。
【請求項４】
前記遠赤外線放射物質を鉱石を主体とすることを特徴とする請求項１乃至請求項３に記載の発熱体付浮遊体。
【請求項５】
前記鉱石を滑石を主体とすることを特徴とする請求項４記載の発熱体付浮遊体。
【請求項６】
前記遠赤外線放射物質をセラミックを主体とすることを特徴とする請求項１乃至請求項３に記載の発熱体付浮遊体。
【発明の詳細な説明】
【０００１】
【産業上の利用分野】
本発明は、主に浴槽や鍋等に浮かべて使用する発熱体付浮遊体に関するものであり、更に詳細には、浴槽や鍋の蒸発熱を押さえて蒸発熱による温度の低下を防止する省エネルギー対策や遠赤外線の放射による入浴時の保温効果を高め、更には、鍋に使用した場合は熱の通りを良くする調理効果を高める発熱体付浮遊体に関するものである。
【０００２】
【従来の技術】
従来、温熱効果を有する入浴剤は各種開発され市販されているが、基本的にお湯に溶かして使う使い切りのものであり、また、遠赤外線効果を有するものとしては遠赤外線を放射する鉱石を網に入れ浴槽に入れて置くものがあり、また、防冷効果を有するものとしては蓋があるが、蓋は浴槽の湯面と離れており蒸発を押さえる効果が少なく、入浴時には蓋を開けているため冷え易く、また、一般的に温泉を含む大衆浴場等においては浴槽に蓋は無く、常に蒸発熱が奪われると共に大量の結露が発生していた。
【０００３】
【発明が解決しようとする課題】
然し乍ら、一般の入浴剤はお湯と共に流してしまうため繰り返し使用できなく、お湯の蒸発を押さえる機能を有しないもので、気化熱は水が１ｃｃ蒸発するのに要するカロリーは５３９カロリーであり、水１ｃｃの蒸発で５３９ｃｃのお湯を１℃下げることになり、また、蒸発した水蒸気は結露し、天井や内装に付着して早期に傷める要因となり、一般の家庭風呂以外でも温泉に限らず銭湯やスポーツジム、健康ランド等のお風呂は蓋を有しないのが通例で、蒸発熱によるエネルギーの損失及び結露の付着による天井、内装等への影響は大きいもので、また、鉱物等を湯に入れる入浴剤は遠赤外線等を放射するものが有るが、１ヵ所にまとめて使用するため、鉱物等全体の熱吸収面及び遠赤外線放射面積が少なく１ヵ所からの放射になりがちで、浴場全体に均等に放射熱が届きにくく、家庭風呂程度の大きさの場合は身体の全体に放射熱があたりにくいもので、大型の風呂の場合は、鉱物等を設置した付近でしか効果が無いものであり、更に、例えば店舗におけるラーメンのスープ鍋などは鶏ガラや豚足等が湯気を上げながら煮込まれており、ここでも多くの蒸発熱の無駄と湯気の影響が発生しているのが現状であり、地下街等では特に深刻な問題が発生している。
【０００４】
【課題を解決するための手段】
本発明は、前述の問題点に鑑み、鋭意研鑽の結果、樹脂に湯温付近の温度で遠赤外線を放射する粉体状の遠赤外線放射物質を混入させ、混入させた樹脂を中空状又はポーラス状に形成して水に浮く構造の浮遊体としたものであり、更に、樹脂を中空状又はポーラス状に水に浮く浮遊体に形成し、中空状又はポーラス状の樹脂に湯温付近の温度で温められ遠赤外線を放射する遠赤外線放射物質の砕片や固まりを封入又は取り付け、又は、これらを含有した材料を樹脂にコーテイングしたものであり、更には、発熱体付浮遊体において、浮遊体を扁平球形に形成すると共に、最大外周部から両方向に丸味を有したテーパー状の急角度の傾斜面を付けたものであり、加えて、遠赤外線放射物質を鉱石を主体とするものであり、更には、鉱石を滑石を主体とするものであり、更には、遠赤外線放射物質をセラミックを主体とするものである。
【０００５】
【作用】
本発明の発熱体付浮遊体は湯面に浮かべて使用するものであり、湯面を空きがないように多数の発熱体付浮遊体で埋めることにより蒸発熱をより押さえることができ、また、夫々の発熱体付浮遊体がお互いに重なり合いにくいように少なくとも扁平球形に形成する共に、最大外周部の両側に丸味を有した急角度の傾斜面を設け、湯面の波等で重なり合ってもずり落ちて戻るものであり、また、湯面に拡がった発熱体付浮遊体が湯面から得た熱により遠赤外線放射物質から遠赤外線が放出され、この時の遠赤外線の放射は湯面全体から平均的に放射されるものであり、発熱体付浮遊体をかきわけて入浴した時にも湯中の身体に遠赤外線の放射が均等に当たるものである。
【０００６】
【発明を実施するための最良の形態】
本発明は、主に浴槽や鍋等に浮かべて使用する発熱体付浮遊体に関するものであり、更に詳細には、浴槽や鍋の蒸発熱を押さえて蒸発熱による温度の低下を防止する省エネルギー対策や遠赤外線の放射による入浴時の保温効果を高め、更には、鍋に使用した場合は熱の通りを良くする調理効果を高める発熱体付浮遊体に関するものであり、請求項１に記載の発熱体付浮遊体は、樹脂に湯温付近の温度で遠赤外線を放射する粉体状の遠赤外線放射物質を混入させ、該混入させた樹脂を中空状又はポーラス状に形成して水に浮く構造の浮遊体としたことを特徴とするものである。
【０００７】
更に、請求項２に記載の発熱体付浮遊体は、樹脂を中空状又はポーラス状に水に浮く浮遊体に形成し、該中空状又はポーラス状の樹脂に湯温付近の温度で温められ遠赤外線を放射する遠赤外線放射物質の砕片や固まりを封入又は取り付け、又は、これらを含有した材料を前記樹脂にコーテイングしたことを特徴とするものである。
【０００８】
更には、請求項３に記載の発熱体付浮遊体は、請求項１又は請求項２に記載の発熱体付浮遊体において、前記浮遊体を扁平球形に形成すると共に、最大外周部から両方向に丸味を有したテーパー状の急角度の傾斜面を付けたことを特徴とするものである。
【０００９】
加えて、請求項４に記載の発熱体付浮遊体は、請求項１乃至請求項３に記載の発熱体付浮遊体において、前記遠赤外線放射物質を鉱石を主体とすることを特徴とするものである。
【００１０】
更には、請求項５に記載の発熱体付浮遊体は、請求項４に記載の発熱体付浮遊体において、前記鉱石を滑石を主体とすることを特徴とするものである。
【００１１】
更には、請求項６に記載の発熱体付浮遊体は、請求項１乃至請求項３に記載の発熱体付浮遊体において、前記遠赤外線放射物質をセラミックを主体とすることを特徴とするものである。
【００１２】
【実施例】
以下、本発明の発熱体付浮遊体の実施例を図面により具体的に説明すると、図１は本発明の発熱体付浮遊体の実施例の斜視図であり、図２は本発明の発熱体付浮遊体の次実施例の斜視図であり、図３は本発明の発熱体付浮遊体の他の実施例の断面図であり、図４は本発明の発熱体付浮遊体のその他の実施例の斜視図であり、図５は本発明の発熱体付浮遊体の更にその他の実施例の斜視図であり、図６は本発明の発熱体付浮遊体の使用状態のイメージ図であり、図７は本発明の発熱体付浮遊体の使用状態の説明断面図である。
【００１３】
図１は、遠赤外線放射物質４を粉状にして樹脂に混ぜ合わせて成形した発熱体付浮遊体１を示し、扁平半球形状の上蓋２と下蓋３を合着させて扁平球形状するもので、上蓋２と下蓋３との合着は、はめ込みや接着、溶着、ねじ込み、テープ止め等の手段によるもので、中空状の発熱体付浮遊体１を示すものであり、外周面１４は丸味を有しているもので、波等でお互いが重なり合っても、ずり落ちて水面に拡がり易くしているものである。
【００１４】
図２は、樹脂で成形した上蓋２と下蓋３とで構成され、内部に遠赤外線放射物質４の砕片を内置したものを示すもので、最大外周部１４から頂面辺周部１３にかけて丸味を有したテーパー状の急角度の傾斜面１５を有しているものである。
【００１５】
図３は、樹脂で成形した上蓋２と下蓋３と止め蓋５で構成され、下蓋３に遠赤外線放射物質４の砕片が止め蓋５で封入されているものを示すもので、止め蓋５ははめ込み、ネジ込み等で取付、遠赤外線放射物質４の砕片４が交換できるもので、更に、止め蓋５には浸透穴１０が設けられており、浸透穴１０からお湯が侵入して遠赤外線放射物質４の砕片が直接お湯に触れるもので、例えば、遠赤外線放射物質４の砕片がミネラルで有るマグネシウム等を含む滑石（Ｔａｌｃｕｍ）の場合に湯中にマグネシウムを溶かすもので、また、図示しないが、遠赤外線放射物質４の砕片がこぼれない様に網状のものや布状のもので押さえたり、網状の布状のもので袋状にし、取付ても構わないものである。
【００１６】
図４は、樹脂で成形した上蓋２と下蓋３で構成し、下蓋３の表面に遠赤外線放射物質４を含有した塗料をコーテイングしてコーティング面１１を形成したものを示し、例えば、樹脂系のバインダーと遠赤外線放射物質４のパウダーを混ぜ合わせ塗りつけたものである。
【００１７】
更には、コーティングは静電塗装や、チタン等を蒸着法により表面加工したものや、スパッタリング加工しても良いもので、またここでは外側面にコーティングしているが、内側面にコーティングしても良いものである。
【００１８】
図５（ａ）は、桜の花びらを形取った発熱体付浮遊体１を示し樹脂に遠赤外線放射物質４の粉体を混合した発泡プラスチック等でポーラス状に成形したものを示すものであり、図５（ｂ）はポーラス状の浮遊体１６の内部に遠赤外線放射物質片４を埋め込んだものを示し、図５（ｃ）は浮遊体１６の底部に板状の遠赤外線放射物質４の砕片を取着したものである。
【００１９】
図６は、入浴時に発熱体付浮遊体１を浴槽に浮かべた使用状態のイメージを示し、湯面の全体を多数の発熱体付浮遊体１が覆っているものである。  
【００２０】
図７は、お風呂や鍋に浮かべた発熱体付浮遊体１と湯気７と遠赤外線８を示したものであり、発熱体付浮遊体１が湯気７の発生をおさえ遠赤外線８が湯面から平均して放射されるものである。
【００２１】
そして、本発明の発熱体付浮遊体に用いる樹脂材料は、環境ホルモン等を配慮したプラスチックとしてポリプロピレンや、ＡＢＳ等が挙げられるもので、ポリプロピレンは１２０℃や１４０℃の耐熱が有るため、煮物等の鍋に用いることができ、ここでは樹脂材料を限定するものではないものである。
【００２２】
更に、ポーラス状の樹脂はポリウレタンフォームや、ポリスチレンやポリオレフィンなどのプラスチック樹脂等の発泡プラスチックが良好である。
【００２３】
更には、遠赤外線放射物質４の鉱物材料としては、滑石（Ｔａｉｃｕｍ）や貴宝石（学名：石英斑岩）、黒曜石、トルマリン鉱石、マグマ鉱石、雲母、麦飯石、水晶等が有り、遠赤外線放射率９０％に及ぶものもあるがここでは特に限定するものでは無く、湯温程度の熱により遠赤外線を放射する鉱物であればよいものであり、これらの組合せ混合でも良いもので、元来これらの鉱石には複数の成分が含まれており、特に、カルシウムやマグネシウム等のミネラルを含むものが多いものである。
【００２４】
【発明の効果】
本発明は発熱体付浮遊体は前述の構成により、浴槽や鍋等の湯面に浮かべることにより、蒸気の発生を押さえると共に、湯面全体から平均的に放射される遠赤外線により湯内の温熱効果を高める作用があり、お風呂に用いた場合はお湯が冷めにくく、省エネルギー効果や、お風呂上がりの湯冷めをおさえ、保温効果を高める効果を有するもので、また、発熱体付浮遊体をカラフルにしたり、例えば果物、魚、花状に形状をしたりすることにより、お風呂に入ることに楽しみや華やかさ、そして充実感を高めることになり、加えて、スープ鍋等に用いた場合には同じように蒸発熱による省エネルギーは元より、湯気による天井や内装の傷みを軽減させ、煮込み鍋等の具に対しても遠赤外線により火が通りやすいく成り美味しさも増すもので、このように本発明は省エネルギー効果として熱源の熱量を少なくするばかりでなく遠赤外線効果で温熱効果を高め環境問題にも寄与する極めて有用な発明である。
【００２５】
【図面の簡単な説明】
【図１】
図１は本発明の発熱体付浮遊体の実施例の斜視図である。
【図２】
図２は本発明の発熱体付浮遊体の次実施例の斜視図である。
【図３】
図３は本発明の発熱体付浮遊体の他の実施例の断面図である。
【図４】
図４は本発明の発熱体付浮遊体のその他の実施例の斜視図である。
【図５】
図５は本発明の発熱体付浮遊体の更にその他の実施例の斜視図である。
【図６】
図６は本発明の発熱体付浮遊体の使用状態のイメージ図である。
【図７】
図７は本発明の発熱体付浮遊体の使用状態の説明断面図である。
本発明の実施例の立体図である。
【００２６】
【符号の説明】
１…発熱体付浮遊体
２…上蓋
３…下蓋
４…遠赤外線放射物質
５…止め蓋
６…ポーラス状樹脂
７…湯気
８…遠赤外線
９…人体
１０…浸透穴
１１…コーテング面
１２…浴槽
１３…頂面辺内周
１４…最大外周部
１５…傾斜角
１６…浮遊体